(57)【要約】【課題】安価で、軽量化が図れる衛星放送受信用コンバータを提供する。【解決手段】本発明の衛星放送受信用コンバータにおいて、回路基板３の両面には、導波管１２の端面１２ｂと対向する位置において、複数個のスルーホール１０を設けた第１，第２のアースパターン９，４を有すると共に、スルーホール１０は、導波管１２の外周面、又は／及び内周面に沿って近接した状態で設けられ、スルーホール１０を通った半田によって、シールドケース１内に位置した第１のアースパターン９には、ショートキャップ１３が半田付けされると共に、第２のアースパターン４には、導波管１２の端面側が半田付けされたため、材料費と製造費が安く、安価であると共に、軽量化が図れる。【選択図】        図１
2004229182.tif 000002
【特許請求の範囲】
【請求項１】
金属板からなるシールドケースと、このシールドケースに取り付けられ、プローブを有する回路基板と、この回路基板に対して垂直に配置され、金属板が折り曲げられて形成された筒状の導波管と、前記シールドケース内に位置して、前記導波管の開口端を塞ぐショートキャップとを備え、前記回路基板の両面には、前記導波管の端面と対向する位置において、複数個のスルーホールを設けた第１，第２のアースパターンを有すると共に、前記スルーホールは、前記導波管の外周面、又は／及び内周面に沿って近接した状態で設けられ、前記スルーホールを通った半田によって、前記シールドケース内に位置した前記第１のアースパターンには、前記ショートキャップが半田付けされると共に、前記シールドケースから露出した前記第２のアースパターンには、前記導波管の前記端面側が半田付けされたことを特徴とする衛星放送受信用コンバータ。
【請求項２】
前記第１のアースパターン側に設けられたクリーム半田によって、前記ショートキャップが前記第１のアースパターンに半田付けされると共に、前記導波管が前記第２のアースパターンに半田付けされたことを特徴とする請求項１記載の衛星放送受信用コンバータ。
【請求項３】
前記導波管は、両端部が筒方向に互いに重なり合った重なり部を有し、前記スルーホールを通った前記半田が前記重なり部に沿って付着されたことを特徴とする請求項２記載の衛星放送受信用コンバータ。
【請求項４】
前記回路基板は、前記プローブを設けた桟部を残して形成された孔を有し、前記導波管の前記端面が前記孔の外周に沿って配置されたことを特徴とする請求項１から３の何れかに記載の衛星放送受信用コンバータ。
【請求項５】
前記シールドケースには、前記導波管の外周面を抱持する抱持部が設けられたことを特徴とする請求項１から４の何れかに記載の衛星放送受信用コンバータ。
【請求項６】
前記導波管は、前記端面から突出する突片を有し、前記突片が前記回路基板の貫通孔を通って、前記ショートキャップに設けられた孔に挿通されたことを特徴とする請求項１から５の何れかに記載の衛星放送受信用コンバータ。
【請求項７】
前記第２のアースパターンは、前記回路基板のほぼ全面に設けられ、前記第２のアースパターンによって、前記シールドケースの前面壁に設けられた孔を塞いで、前記シールドケース内を電気的にシールドするようにしたことを特徴とする請求項１から６の何れかに記載の衛星放送受信用コンバータ。
【発明の詳細な説明】
【０００１】
【発明の属する技術分野】
本発明は衛星から送信される電波を受信する衛星放送受信用コンバータに関する。
【０００２】
【従来の技術】
従来の衛星放送受信用コンバータの構成を図８に基づいて説明すると、亜鉛ダイキャストからなる筺体５１は、箱状の枠体５２と、枠体５２の前面壁５２ａから筒状に突出した導波管部５３を有する。
【０００３】
この枠体５２内には、プローブ５４を有する回路基板５５が取り付けられると共に、導波管部５３の開口端を塞ぐように、ショートキャップ５６がネジ５７止めされており、枠体５２の開放部を塞ぐように取り付けられたカバー５８と、箱状の枠体５２によって、枠体５２内が電気的にシールされている。（例えば、特許文献１参照）
【０００４】
【特許文献１】
特開平１０−２３３７０５号公報
【０００５】
【発明が解決しようとする課題】
従来の衛星放送受信用コンバータは、枠体５２と導波管部５３とが一体に形成された筺体５１が亜鉛ダイキャストで構成されているため、コスト高になるばかりか、重量が重くなって、軽量化が図れないという問題がある。
また、ショートキャップ５６がネジ５７止めされるため、その組立性が悪くなり、コスト高になるという問題がある。
【０００６】
そこで、本発明は安価で、軽量化が図れる衛星放送受信用コンバータを提供することを目的とする。
【０００７】
【課題を解決するための手段】
上記課題を解決するための第１の解決手段として、金属板からなるシールドケースと、このシールドケースに取り付けられ、プローブを有する回路基板と、この回路基板に対して垂直に配置され、金属板が折り曲げられて形成された筒状の導波管と、前記シールドケース内に位置して、前記導波管の開口端を塞ぐショートキャップとを備え、前記回路基板の両面には、前記導波管の端面と対向する位置において、複数個のスルーホールを設けた第１，第２のアースパターンを有すると共に、前記スルーホールは、前記導波管の外周面、又は／及び内周面に沿って近接した状態で設けられ、前記スルーホールを通った半田によって、前記シールドケース内に位置した前記第１のアースパターンには、前記ショートキャップが半田付けされると共に、前記シールドケースから露出した前記第２のアースパターンには、前記導波管の前記端面側が半田付けされた構成とした。
【０００８】
また、第２の解決手段として、前記第１のアースパターン側に設けられたクリーム半田によって、前記ショートキャップが前記第１のアースパターンに半田付けされると共に、前記導波管が前記第２のアースパターンに半田付けされた構成とした。
【０００９】
また、第３の解決手段として、前記導波管は、両端部が筒方向に互いに重なり合った重なり部を有し、前記スルーホールを通った前記半田が前記重なり部に沿って付着された構成とした。
【００１０】
また、第４の解決手段として、前記回路基板は、前記プローブを設けた桟部を残して形成された孔を有し、前記導波管の前記端面が前記孔の外周に沿って配置された構成とした。
また、第５の解決手段として、前記シールドケースには、前記導波管の外周面を抱持する抱持部が設けられた構成とした。
【００１１】
また、第６の解決手段として、前記導波管は、前記端面から突出する突片を有し、前記突片が前記回路基板の貫通孔を通って、前記ショートキャップに設けられた孔に挿通された構成とした。
【００１２】
また、第７の解決手段として、前記第２のアースパターンは、前記回路基板のほぼ全面に設けられ、前記第２のアースパターンによって、前記シールドケースの前面壁に設けられた孔を塞いで、前記シールドケース内を電気的にシールドするようにした構成とした。
【００１３】
【発明の実施の形態】
本発明の衛星放送受信用コンバータの図面を説明すると、図１は本発明の衛星放送受信用コンバータの分解斜視図、図２は本発明の衛星放送受信用コンバータに係り、導波管の取付状態を示す要部断面図、図３は本発明の衛星放送受信用コンバータに係り、導波管の要部断面図である。
【００１４】
また、図４は衛星放送受信用コンバータに係る回路基板の前面図、図５は衛星放送受信用コンバータに係る回路基板の裏面図、図６は本発明の衛星放送受信用コンバータに係り、回路基板に対する導波管の位置を示す前面図、図７は本発明の衛星放送受信用コンバータの他の実施例に係り、回路基板に対する導波管の位置を示す前面図である。
【００１５】
次に、本発明の衛星放送受信用コンバータの構成を図１〜図６に基づいて説明すると、この実施例は、２つの衛星から送信された電波を受信可能となったもので、金属板がプレス加工と折り曲げ加工されて形成されたシールドケース１は、前面壁１ａと、この前面壁１ａの３辺から折り曲げられた３つの側壁３ｂと、前面壁１ａの１辺に形成された傾斜壁１ｃを有する。
【００１６】
また、前面壁１ａには、橋絡片１ｄを残して形成された複数個の孔１ｅ、及び一対の円形状の孔１ｆが設けられると共に、この一対の孔１ｆの周縁には、上方に突出した状態で、複数個の抱持部１ｇが設けられている。
２個の同軸型コネクタ２は、傾斜壁１ｃにカシメ等によって固着されている。
【００１７】
プリント基板からなる第１の回路基板３は、間隔をおいて設けられた２個の円形状の孔３ａと、この孔３ａに設けられたＫ字状の桟部３ｂと、孔３ａの周辺に設けられた複数個の矩形状の貫通孔３ｃを有する。
【００１８】
この第１の回路基板３の前面には、桟部３ｂを除くほぼ全面に設けられたアースパターン４（第２のアースパターン）を有すると共に、第１の回路基板３の裏面には、配線パターン５と、９０度の間隔で配置された二つの桟部３ｂにそれぞれ設けられた第１，第２のプローブ６，７と、もう一つの桟部３ｂに設けられた放射パターン８と、孔３ａの外周に近接した状態で設けられた略環状のアースパターン９（第１のアースパターン）とが形成されている。
【００１９】
そして、アースパターン４，９は、絶縁基板を挟んで互いに対向した状態となっており、このアースパターン４，９の位置には、孔１ｆの外周に沿って配置された複数個のスルーホール１０が設けられている。
【００２０】
このような第１の回路基板３の配線パターン５には、抵抗やコンデンサ等の種々の電子部品（図示せず）が実装されて、所望の電気回路が形成されると共に、この第１の回路基板３は、シールドケース１内に収納された状態で取り付けられている。
【００２１】
そして、第１の回路基板３が取り付けられた際、シールドケース１の一対の孔１ｆには、孔３ａが位置すると共に、その他の孔１ｅは、アースパターン４によって塞がれて、電気回路がアースパターン４によって電気的にシールドされる。
【００２２】
また、プリント基板からなる回路基板１１は、ここでは図示しないが、前面のほぼ全面にアースパターンが設けられると共に、裏面に設けられた配線パターンに種々の電子部品が実装されて、所望の電気回路が形成されており、この第２の回路基板１１は、シールドケース１の孔１ｅをアースパターンで塞ぐようにした状態で、第１の回路基板３と一部が重なった状態でシールドケース１内に収納、取り付けされている。
【００２３】
金属板が折り曲げられて形成された筒状の導波管１２は、円筒状の筒状部１２ａと、この筒状部１２ａの一端側の端面１２ｂと、この端面１２ｂから突出したく字状の突片１２ｃと、筒状部１２ａの両端部が筒方向に互いに重なり合った重なり部１２ｄと、この重なり部１２ｄに設けられた複数個のカシメ部１２ｅを有する。
【００２４】
この導波管１２は、特に図３に示すように、重なり部１２ｄの一方には孔が設けられると共に、重なり部１２ｄの他方にはハトメ部が設けられ、ハトメ部を孔に挿通した状態で、ハトメ部がカシメ付けられることによって、カシメ部１２ｅが形成されて、隙間の少ない重なり部１２ｄが形成されている。
【００２５】
また、この導波管１２は、端面１２ｂ側からシールドケース１の一対の孔１ｆに挿入すると、突片１２ｃは、第１の回路基板の貫通孔３ｃを通って反対側に突出すると共に、筒状部１２ａの外周面が抱持部１ｇによって挟持（抱持）された状態となる。
【００２６】
そして、導波管１２が第１の回路基板３上に配置された際、図６に示すように、端面１２ｂがアースパターン４に当接した状態で、孔３ａとスルーホール１１の間に位置すると共に、スルーホール１１が筒状部１２ａの外周面に沿って近接して配置された状態となっている。
【００２７】
金属材からなるショートキャップ１３は、キャップ部１３ａと、キャップ部１３ａの端部に設けられた鍔部１３ｂと、この鍔部１３ｂに設けられた複数個の孔１３ｃを有する。
【００２８】
そして、このショートキャップ１３は、図２に示すように、導波管１２の開放端を塞ぐように配置されると共に、突片１２ｃが孔１３ｃに挿通され、ショートキャップ１３が突片１２ｃにスナップ止めされて、ショートキャップ１３が仮止めされた状態となる。
【００２９】
この状態で、導波管１２とショートキャップ１３は、それぞれアースパターン４，９に半田付けされた構成となっていると共に、半田が重なり部１２ｄにも流れて、重なり部１２の隙間を埋めた状態となっている。
【００３０】
次に、導波管１２とショートキャップ１３の半田付け方法、即ち、組立方法を説明すると、先ず、第１の回路基板３のアースパターン９上にクリーム半田を塗布した状態で、導波管１２の突片１２ｃを貫通孔３ｃに挿通する、或いは、導波管１２の突片１２ｃを貫通孔３ｃに挿通した状態で、第１の回路基板３のアースパターン９上にクリーム半田を塗布する。
【００３１】
次に、突片１２ｃにショートキャップ１３を仮止めした後、ショートキャップ１３を上側にすると共に導波管１２を下側に位置させた状態で、リフロー炉に搬送する。
すると、クリーム半田が溶け、溶けた半田は、アースパターン９と鍔部１３ｂ間に残存すると共に、スルーホール１０を通ってアースパターン４側に流出して、筒状部１２ａの外周部と、重なり部１２ｄに流れる。
【００３２】
そして、リフロー炉から搬出されて半田が固化すると、ショートキャップ１３がアースパターン９に半田付けされ、且つ、導波管１２の筒状部１２ａの端面１２ｂを含む外周部がアースパターン４に半田付けされると共に、重なり部１２ｄにも半田が回って、重なり部１２ｄの隙間が塞がれた状態となって、その組立が完了する。
【００３３】
なお、上記実施例では、アースパターン９側にクリーム半田を塗布したもので説明したが、アースパターン４側にクリーム半田を塗布しても良い。
この場合、ショートキャップ１３を上側にし、導波管１２を下側にした状態でリフロー炉に搬送した時、溶けた半田は、筒状部１２ａの外周部と重なり部１２ｄに回ると共に、スルーホール１０を通って、アースパターン９と鍔部１３ｂ間に毛細管現象によって回って、それぞれが半田付けされるようになる。
【００３４】
また、ショートキャップ１３を下側にし、導波管１２を上側にした状態でリフロー炉に搬送した時、溶けた半田は、筒状部１２ａの外周部に回ると共に、重なり部１２ｄには毛細管現象によって回り、更に、スルーホール１０を通って、アースパターン９と鍔部１３ｂ間に回って、それぞれが半田付けされるようになる。
【００３５】
なお、ここでは図示しないが、シールドケース１の側壁１ｂの開放部側が蓋体で塞がれた構成となっている。
そして、このような構成を有する衛星放送受信用コンバータは、２個の導波管１２のそれぞれによって、異なる衛星から送信される電波を受信し、同軸型コネクタ２から信号を取り出すようになっている。
【００３６】
なお、この実施例では、二つの導波管を備えた衛星放送受信用コンバータで説明したが、一つの導波管を備えた衛星放送受信用コンバータでも良い。
【００３７】
また、図７は本発明の衛星放送受信用コンバータの他の実施例を示し、この他の実施例の構成を説明すると、複数個のスルーホール１０が導波管１２の筒状部１２ａの内周面に沿って近接した状態で配置されたものである。
その他の構成は、前記実施例と同様であり、同一部品に同一番号を付し、ここではその説明を省略する。
【００３８】
そして、この他の実施例においても半田がスルーホール１０を通るようになり、ショートキャップ１３がアースパターン９に半田付けされ、且つ、導波管１２の筒状部１２ａの端面１２ｂを含む内周部がアースパターン４に半田付けされると共に、重なり部１２ｄにも半田付が行われるものである。
【００３９】
【発明の効果】
本発明の衛星放送受信用コンバータは、金属板からなるシールドケースと、このシールドケースに取り付けられ、プローブを有する回路基板と、この回路基板に対して垂直に配置され、金属板が折り曲げられて形成された筒状の導波管と、シールドケース内に位置して、導波管の開口端を塞ぐショートキャップとを備え、回路基板の両面には、導波管の端面と対向する位置において、複数個のスルーホールを設けた第１，第２のアースパターンを有すると共に、スルーホールは、導波管の外周面、又は／及び内周面に沿って近接した状態で設けられ、スルーホールを通った半田によって、シールドケース内に位置した第１のアースパターンには、ショートキャップが半田付けされると共に、シールドケースから露出した第２のアースパターンには、導波管の端面側が半田付けされた構成とした。
このように、シールドケースと導波管を金属板で形成すると、亜鉛ダイキャストからなる従来の筺体に比して、材料費と製造費が安く、安価であると共に、軽量化が図れて、軽量の衛星放送受信用コンバータを提供できる。
また、スルーホールの存在によって、第１，或いは第２のアースパターンから半田付けしても、配置位置の異なる導波管とショートキャップのそれぞれをアースパターンに半田付けきるものが得られる。
【００４０】
また、第１のアースパターン側に設けられたクリーム半田によって、ショートキャップが第１のアースパターンに半田付けされると共に、導波管が第２のアースパターンに半田付けされたため、電子部品の半田付と同時に、導波管とショートキャップの半田付ができて、生産性の良好なものが得られる。
【００４１】
また、導波管は、両端部が筒方向に互いに重なり合った重なり部を有し、スルーホールを通った半田が重なり部に沿って付着されたため、重なり部の隙間が塞がれた状態となって、段差を少なくできると共に、重なり部同士の固着を強固にできる。
【００４２】
また、回路基板は、プローブを設けた桟部を残して形成された孔を有し、導波管の端面が孔の外周に沿って配置されたため、導波管から受信した電波が効率よくショートキャップ側に送ることができる。
【００４３】
また、シールドケースには、導波管の外周面を抱持する抱持部が設けられたため、導波管の仮止めができて、組立の良好なものが得られる。
【００４４】
また、導波管は、端面から突出する突片を有し、突片が回路基板の貫通孔を通って、ショートキャップに設けられた孔に挿通されたため、ショートキャップの仮止めができて、組立の良好なものが得られる。
【００４５】
また、第２のアースパターンは、回路基板のほぼ全面に設けられ、第２のアースパターンによって、シールドケースの前面壁に設けられた孔を塞いで、シールドケース内を電気的にシールドするようにしたため、シールドケースの不要な前面壁を削除できて、より軽量なものが得られる。
【図面の簡単な説明】
【図１】本発明の衛星放送受信用コンバータの分解斜視図。
【図２】本発明の衛星放送受信用コンバータに係り、導波管の取付状態を示す要部断面図。
【図３】本発明の衛星放送受信用コンバータに係り、導波管の要部断面図。
【図４】衛星放送受信用コンバータに係る回路基板の前面図。
【図５】衛星放送受信用コンバータに係る回路基板の裏面図。
【図６】本発明の衛星放送受信用コンバータに係り、回路基板に対する導波管の位置を示す前面図。
【図７】本発明の衛星放送受信用コンバータの他の実施例に係り、回路基板に対する導波管の位置を示す前面図。
【図８】従来の衛星放送受信用コンバータの断面図。
【符号の説明】
１  シールドケース
１ａ  前面壁
１ｂ  側壁
１ｃ  傾斜壁
１ｄ  橋絡片
１ｅ  孔
１ｆ  孔
１ｇ  抱持部
２  同軸型コネクタ
３  第１の回路基板
３ａ  孔
３ｂ  桟部
２ｃ  貫通孔
４  アースパターン（第２のアースパターン）
５  配線パターン
６  第１のプローブ
７  第２のプローブ
８  放射パターン
９  アースパターン（第１のアースパターン）
１０  スルーホール
１１  第２の回路基板
１２  導波管
１２ａ  筒状部
１２ｂ  端面
１２ｃ  突片
１２ｄ  重なり部
１２ｅ  カシメ部
１３  ショートキャップ
１３ａ  キャップ部
１３ｂ  鍔部
１３ｃ  孔
【図１】
2004229182.tif 000003
【図２】
2004229182.tif 000004
【図３】
2004229182.tif 000005
【図４】
2004229182.tif 000006
【図５】
2004229182.tif 000007
【図６】
2004229182.tif 000008
【図７】
2004229182.tif 000009
【図８】
2004229182.tif 000010